【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
ワイヤレスデバイスにおけるワイヤレス通信の方法であって、
アップリンク（ＵＬ）制御チャネルの送信時間間隔（ＴＴＩ）バンドリングパラメータを識別することと、
前記ＴＴＩバンドリングパラメータに少なくとも部分的に基づいて、前記ＵＬ制御チャネルのための１つまたは複数のリソースを識別することと
を備える方法。
【請求項２】
前記１つまたは複数のリソースを使用して前記ＵＬ制御チャネルを送信すること、または、
前記１つまたは複数のリソースを使用して前記ＵＬ制御チャネルを受信すること
をさらに備える、請求項１に記載の方法。
【請求項３】
前記１つまたは複数のリソースを識別することが、
ワイヤレスノードから前記１つまたは複数のリソースの指示を受信すること、または、
暗黙的リソース割振りに基づいて、前記１つまたは複数のリソースを識別すること、ここにおいて、前記暗黙的リソース割振りが、特に、物理ダウンリンク制御チャネル（ＰＤＣＣＨ）リソースまたは物理ダウンリンク共有チャネル（ＰＤＳＣＨ）リソースのうちの少なくとも１つに少なくとも部分的に基づく、
をさらに備える、請求項１に記載の方法。
【請求項４】
リソースオフセットのセットとＴＴＩバンドリングパラメータのセットとの間の対応関係を決定することと、ここにおいて、前記ＴＴＩバンドリングパラメータのセットは、前記ＵＬ制御チャネルの前記ＴＴＩバンドリングパラメータを備える、
前記ＴＴＩバンドリングパラメータと前記対応関係とに少なくとも部分的に基づいて、前記リソースオフセットのセットからリソースオフセットを選択することと
をさらに備えるか、または、
前記方法が、
前記ＴＴＩバンドリングパラメータに対応するリソースオフセットを示す構成を受信すること、ここにおいて、前記１つまたは複数のリソースを識別することは、前記リソースオフセットに基づく、
をさらに備えるか、または、
前記方法が、
前記ＴＴＩバンドリングパラメータのための複数のリソースの構成を受信することと、  ダウンリンク（ＤＬ）制御チャネルにおいて指示を受信することと、
前記指示に基づいて、前記ＴＴＩバンドリングパラメータのための前記構成された複数のリソースから１つのリソースを識別することと
をさらに備える、請求項１に記載の方法。
【請求項５】
ワイヤレスデバイスにおけるワイヤレス通信の方法であって、
アップリンク（ＵＬ）制御チャネルのＴＴＩバンドリングパラメータを識別することと、
前記ＴＴＩバンドリングパラメータに少なくとも部分的に基づいて、ダウンリンク制御情報（ＤＣＩ）フォーマットを識別することと
を備える方法。
【請求項６】
前記ＤＣＩフォーマットに少なくとも部分的に基づいて、ＤＬ制御チャネルを受信すること、または、
前記ＤＣＩフォーマットに少なくとも部分的に基づいて、ＤＬ制御チャネルを送信すること
をさらに備える、請求項５に記載の方法。
【請求項７】
前記ＴＴＩバンドリングパラメータは、リソース割振り粒度レベルに対応し、ここにおいて、前記ＤＣＩフォーマットは、前記リソース割振り粒度レベルに少なくとも部分的に基づくか、または、
前記ＴＴＩバンドリングパラメータは、変調およびコーディング方式（ＭＣＳ）情報フィールドに対応し、ここにおいて、前記ＤＣＩフォーマットは、前記ＭＣＳ情報フィールドに少なくとも部分的に基づき、
前記方法は、特に、
第１のＴＴＩバンドリング長を決定することと、
前記第１のＴＴＩバンドリング長に基づいて、前記ＭＣＳ情報フィールドの第１の長さを決定することと、
第２のＴＴＩバンドリング長を決定することと、ここで、前記第２のＴＴＩバンドリング長は、前記第１のＴＴＩバンドリング長よりも大きい、
前記第２のＴＴＩバンドリング長に基づいて、前記ＭＣＳ情報フィールドの第２の長さを決定することと、ここで、前記ＭＣＳ情報フィールドの前記第２の長さは、前記ＭＣＳ情報フィールドの前記第１の長さよりも小さい、
をさらに備える、請求項５に記載の方法。
【請求項８】
ワイヤレスデバイスにおけるワイヤレス通信のための装置であって、
アップリンク（ＵＬ）制御チャネルの送信時間間隔（ＴＴＩ）バンドリングパラメータを識別するための手段と、
前記ＴＴＩバンドリングパラメータに少なくとも部分的に基づいて、前記ＵＬ制御チャネルのための１つまたは複数のリソースを識別するための手段と
を備える装置。
【請求項９】
前記１つまたは複数のリソースを使用して前記ＵＬ制御チャネルを送信するための手段、または、
前記１つまたは複数のリソースを使用して前記ＵＬ制御チャネルを受信するための手段をさらに備える、請求項８に記載の装置。
【請求項１０】
前記１つまたは複数のリソースを識別するための前記手段が、
ワイヤレスノードから前記１つまたは複数のリソースの指示を受信するための手段、または、
暗黙的リソース割振りに基づいて、前記１つまたは複数のリソースを識別するための手段
をさらに備え、
前記暗黙的リソース割振りが、特に、物理ダウンリンク制御チャネル（ＰＤＣＣＨ）リソースまたは物理ダウンリンク共有チャネル（ＰＤＳＣＨ）リソースのうちの少なくとも１つに少なくとも部分的に基づく、請求項８に記載の装置。
【請求項１１】
リソースオフセットのセットとＴＴＩバンドリングパラメータのセットとの間の対応関係を決定するための手段と、ここにおいて、前記ＴＴＩバンドリングパラメータのセットは、前記ＵＬ制御チャネルの前記ＴＴＩバンドリングパラメータを備える、
前記ＴＴＩバンドリングパラメータと前記対応関係とに少なくとも部分的に基づいて、前記リソースオフセットのセットからリソースオフセットを選択するための手段と
をさらに備えるか、または、
前記装置が、
前記ＴＴＩバンドリングパラメータに対応するリソースオフセットを示す構成を受信するための手段、ここにおいて、前記１つまたは複数のリソースを識別することは、前記リソースオフセットに基づく、
をさらに備えるか、または、
前記装置が、
前記ＴＴＩバンドリングパラメータのための複数のリソースの構成を受信するための手段と、
ダウンリンク（ＤＬ）制御チャネルにおいて指示を受信するための手段と、
前記指示に基づいて、前記ＴＴＩバンドリングパラメータのための前記構成された複数のリソースから１つのリソースを識別するための手段と
をさらに備える、請求項８に記載の装置。
【請求項１２】
ワイヤレスデバイスにおけるワイヤレス通信のための装置であって、
アップリンク（ＵＬ）制御チャネルのＴＴＩバンドリングパラメータを識別するための手段と、
前記ＴＴＩバンドリングパラメータに少なくとも部分的に基づいて、ダウンリンク制御情報（ＤＣＩ）フォーマットを識別するための手段と
を備える装置。
【請求項１３】
前記ＤＣＩフォーマットに少なくとも部分的に基づいて、ＤＬ制御チャネルを受信するための手段、または、
前記ＤＣＩフォーマットに少なくとも部分的に基づいて、ＤＬ制御チャネルを送信するための手段
をさらに備える、請求項１２に記載の装置。
【請求項１４】
前記ＴＴＩバンドリングパラメータは、リソース割振り粒度レベルに対応し、ここにおいて、前記ＤＣＩフォーマットは、前記リソース割振り粒度レベルに少なくとも部分的に基づくか、または、
前記ＴＴＩバンドリングパラメータは、変調およびコーディング方式（ＭＣＳ）情報フィールドに対応し、ここにおいて、前記ＤＣＩフォーマットは、前記ＭＣＳ情報フィールドに少なくとも部分的に基づき、
前記装置が、特に、
第１のＴＴＩバンドリング長を決定するための手段と、
前記第１のＴＴＩバンドリング長に基づいて、前記ＭＣＳ情報フィールドの第１の長さを決定するための手段と、
第２のＴＴＩバンドリング長を決定するための手段と、ここで、前記第２のＴＴＩバンドリング長は、前記第１のＴＴＩバンドリング長よりも大きい、
前記第２のＴＴＩバンドリング長に基づいて、前記ＭＣＳ情報フィールドの第２の長さを決定するための手段と、ここで、前記ＭＣＳ情報フィールドの前記第２の長さは、前記ＭＣＳ情報フィールドの前記第１の長さよりも小さい、
をさらに備える、請求項１２に記載の装置。
【請求項１５】
請求項１〜７のいずれか一項にしたがう方法を実行するための命令を備えるコンピュータプログラム。
【手続補正２】
【補正対象書類名】明細書
【補正対象項目名】０１４１
【補正方法】変更
【補正の内容】
【０１４１】
[0157]本明細書で説明される技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上述のシステムおよび無線技術ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
以下に、本願の出願当初の特許請求の範囲に記載された発明を付記する。
［Ｃ１］
ワイヤレスデバイスにおけるワイヤレス通信の方法であって、
アップリンク（ＵＬ）制御チャネルの送信時間間隔（ＴＴＩ）バンドリングパラメータを識別することと、
前記ＴＴＩバンドリングパラメータに少なくとも部分的に基づいて、前記ＵＬ制御チャネルのための１つまたは複数のリソースを識別することと
を備える方法。
［Ｃ２］
前記１つまたは複数のリソースを使用して前記ＵＬ制御チャネルを送信すること
をさらに備える、Ｃ１に記載の方法。
［Ｃ３］
前記１つまたは複数のリソースを使用して前記ＵＬ制御チャネルを受信すること
をさらに備える、Ｃ１に記載の方法。
［Ｃ４］
前記１つまたは複数のリソースを識別することが、
暗黙的リソース割振りに基づいて、前記１つまたは複数のリソースを識別すること
をさらに備える、Ｃ１に記載の方法。
［Ｃ５］
前記暗黙的リソース割振りが、物理ダウンリンク制御チャネル（ＰＤＣＣＨ）リソースまたは物理ダウンリンク共有チャネル（ＰＤＳＣＨ）リソースのうちの少なくとも１つに少なくとも部分的に基づく、Ｃ４に記載の方法。
［Ｃ６］
リソースオフセットのセットとＴＴＩバンドリングパラメータのセットとの間の対応関係を決定することと、ここにおいて、前記ＴＴＩバンドリングパラメータのセットは、前記ＵＬ制御チャネルの前記ＴＴＩバンドリングパラメータを備える、
前記ＴＴＩバンドリングパラメータと前記対応関係とに少なくとも部分的に基づいて、前記リソースオフセットのセットからリソースオフセットを選択することと
をさらに備える、Ｃ１に記載の方法。
［Ｃ７］
前記ＴＴＩバンドリングパラメータに対応するリソースオフセットを示す構成を受信すること、ここにおいて、前記１つまたは複数のリソースを識別することは、前記リソースオフセットに基づく、
をさらに備える、Ｃ１に記載の方法。
［Ｃ８］
前記１つまたは複数のリソースを識別することが、
ワイヤレスノードから前記１つまたは複数のリソースの指示を受信すること
をさらに備える、Ｃ１に記載の方法。
［Ｃ９］
前記ＴＴＩバンドリングパラメータのための複数のリソースの構成を受信することと、  ダウンリンク（ＤＬ）制御チャネルにおいて指示を受信することと、
前記指示に基づいて、前記ＴＴＩバンドリングパラメータのための前記構成された複数のリソースから１つのリソースを識別することと
をさらに備える、Ｃ１に記載の方法。
［Ｃ１０］
ワイヤレスデバイスにおけるワイヤレス通信の方法であって、
アップリンク（ＵＬ）制御チャネルのＴＴＩバンドリングパラメータを識別することと、
前記ＴＴＩバンドリングパラメータに少なくとも部分的に基づいて、ダウンリンク制御情報（ＤＣＩ）フォーマットを識別することと
を備える方法。
［Ｃ１１］
前記ＤＣＩフォーマットに少なくとも部分的に基づいて、ＤＬ制御チャネルを受信すること
をさらに備える、Ｃ１０に記載の方法。
［Ｃ１２］
前記ＤＣＩフォーマットに少なくとも部分的に基づいて、ＤＬ制御チャネルを送信すること
をさらに備える、Ｃ１０に記載の方法。
［Ｃ１３］
前記ＴＴＩバンドリングパラメータは、リソース割振り粒度レベルに対応し、ここにおいて、前記ＤＣＩフォーマットは、前記リソース割振り粒度レベルに少なくとも部分的に基づく、Ｃ１０に記載の方法。
［Ｃ１４］
前記ＴＴＩバンドリングパラメータは、変調およびコーディング方式（ＭＣＳ）情報フィールドに対応し、ここにおいて、前記ＤＣＩフォーマットは、前記ＭＣＳ情報フィールドに少なくとも部分的に基づく、Ｃ１０に記載の方法。
［Ｃ１５］
第１のＴＴＩバンドリング長を決定することと、
前記第１のＴＴＩバンドリング長に基づいて、前記ＭＣＳ情報フィールドの第１の長さを決定することと、
第２のＴＴＩバンドリング長を決定することと、ここで、前記第２のＴＴＩバンドリング長は、前記第１のＴＴＩバンドリング長よりも大きい、
前記第２のＴＴＩバンドリング長に基づいて、前記ＭＣＳ情報フィールドの第２の長さを決定することと、ここで、前記ＭＣＳ情報フィールドの前記第２の長さは、前記ＭＣＳ情報フィールドの前記第１の長さよりも小さい、
をさらに備える、Ｃ１４に記載の方法。
［Ｃ１６］
ワイヤレスデバイスにおけるワイヤレス通信のための装置であって、
アップリンク（ＵＬ）制御チャネルの送信時間間隔（ＴＴＩ）バンドリングパラメータを識別するための手段と、
前記ＴＴＩバンドリングパラメータに少なくとも部分的に基づいて、前記ＵＬ制御チャネルのための１つまたは複数のリソースを識別するための手段と
を備える装置。
［Ｃ１７］
前記１つまたは複数のリソースを使用して前記ＵＬ制御チャネルを送信するための手段をさらに備える、Ｃ１６に記載の装置。
［Ｃ１８］
前記１つまたは複数のリソースを使用して前記ＵＬ制御チャネルを受信するための手段をさらに備える、Ｃ１６に記載の装置。
［Ｃ１９］
前記１つまたは複数のリソースを識別するための前記手段が、
暗黙的リソース割振りに基づいて、前記１つまたは複数のリソースを識別するための手段
をさらに備える、Ｃ１６に記載の装置。
［Ｃ２０］
前記暗黙的リソース割振りが、物理ダウンリンク制御チャネル（ＰＤＣＣＨ）リソースまたは物理ダウンリンク共有チャネル（ＰＤＳＣＨ）リソースのうちの少なくとも１つに少なくとも部分的に基づく、Ｃ１９に記載の装置。
［Ｃ２１］
リソースオフセットのセットとＴＴＩバンドリングパラメータのセットとの間の対応関係を決定するための手段と、ここにおいて、前記ＴＴＩバンドリングパラメータのセットは、前記ＵＬ制御チャネルの前記ＴＴＩバンドリングパラメータを備える、
前記ＴＴＩバンドリングパラメータと前記対応関係とに少なくとも部分的に基づいて、前記リソースオフセットのセットからリソースオフセットを選択するための手段と
をさらに備える、Ｃ１６に記載の装置。
［Ｃ２２］
前記ＴＴＩバンドリングパラメータに対応するリソースオフセットを示す構成を受信するための手段、ここにおいて、前記１つまたは複数のリソースを識別することは、前記リソースオフセットに基づく、
をさらに備える、Ｃ１６に記載の装置。
［Ｃ２３］
前記１つまたは複数のリソースを識別するための前記手段が、
ワイヤレスノードから前記１つまたは複数のリソースの指示を受信するための手段
をさらに備える、Ｃ１６に記載の装置。
［Ｃ２４］
前記ＴＴＩバンドリングパラメータのための複数のリソースの構成を受信するための手段と、
ダウンリンク（ＤＬ）制御チャネルにおいて指示を受信するための手段と、
前記指示に基づいて、前記ＴＴＩバンドリングパラメータのための前記構成された複数のリソースから１つのリソースを識別するための手段と
をさらに備える、Ｃ１６に記載の装置。
［Ｃ２５］
ワイヤレスデバイスにおけるワイヤレス通信のための装置であって、
アップリンク（ＵＬ）制御チャネルのＴＴＩバンドリングパラメータを識別するための手段と、
前記ＴＴＩバンドリングパラメータに少なくとも部分的に基づいて、ダウンリンク制御情報（ＤＣＩ）フォーマットを識別するための手段と
を備える装置。
［Ｃ２６］
前記ＤＣＩフォーマットに少なくとも部分的に基づいて、ＤＬ制御チャネルを受信するための手段
をさらに備える、Ｃ２５に記載の装置。
［Ｃ２７］
前記ＤＣＩフォーマットに少なくとも部分的に基づいて、ＤＬ制御チャネルを送信するための手段
をさらに備える、Ｃ２５に記載の装置。
［Ｃ２８］
前記ＴＴＩバンドリングパラメータは、リソース割振り粒度レベルに対応し、ここにおいて、前記ＤＣＩフォーマットは、前記リソース割振り粒度レベルに少なくとも部分的に基づく、Ｃ２５に記載の装置。
［Ｃ２９］
前記ＴＴＩバンドリングパラメータは、変調およびコーディング方式（ＭＣＳ）情報フィールドに対応し、ここにおいて、前記ＤＣＩフォーマットは、前記ＭＣＳ情報フィールドに少なくとも部分的に基づく、Ｃ２５に記載の装置。
［Ｃ３０］
第１のＴＴＩバンドリング長を決定するための手段と、
前記第１のＴＴＩバンドリング長に基づいて、前記ＭＣＳ情報フィールドの第１の長さを決定するための手段と、
第２のＴＴＩバンドリング長を決定するための手段と、ここで、前記第２のＴＴＩバンドリング長は、前記第１のＴＴＩバンドリング長よりも大きい、
前記第２のＴＴＩバンドリング長に基づいて、前記ＭＣＳ情報フィールドの第２の長さを決定するための手段と、ここで、前記ＭＣＳ情報フィールドの前記第２の長さは、前記ＭＣＳ情報フィールドの前記第１の長さよりも小さい、
をさらに備える、Ｃ２９に記載の装置。